(57)【特許請求の範囲】
【請求項１】
媒体サイズを印刷システムに伝える装置であって、半径を有し、所定軸の周りを回転するシャフト、前記シャフトの周りにあって、その各々が前記シャフトの前記半径を越えて突出しているローブを有する複数のカム、各々が旋回点の周りを旋回する第１の端、および第２の端を有し、各々が更に前記第１の端と前記第２の端との間に、前記複数の前記カムの一つに隣接して設置され且つ前記ローブと接触しているタブを備え、前記第２の端が前記印刷システムに接触している複数のレバー、前記シャフトに取り付けられている第１のインジケータホイールであって、前記第１のインジケータホイールの円周の周りに各面が媒体のサイズを示す第１の複数の面を有し、更に前記第１のインジケータホイールは前記第１のインジケータホイールの円周の周りに各面が媒体サイズを示す第２の複数の面を備えている第１のインジケータホイール、および前記第１のインジケータホイールに隣接して設置され、第１および第２の位置がある滑動可能レバーであって、前記第１の位置は前記印刷システムに前記第１の複数の面の選択された１つが使用中であることを指示し、前記第２の位置は前記印刷システムに前記第２の複数の面の選択された１つが使用中であることを指示する滑動可能レバー、を特徴とする装置。
【請求項２】
更に、前記シャフトに取り付けられている第２のインジケータホイールであって、前記第２のインジケータホイールの円周の周りに各面が媒体のサイズを示す第１の複数の面を有し、更に前記第２のインジケータホイールの円周の周りに各面が媒体サイズを示す第２の複数の面を備えている第２のインジケータホイールを備え、前記第２のインジケータホイールは前記第１の複数の面の選択された１つが使用中であることをユーザに表示する視覚指示を与え、前記第２の複数の面の選択された１つが使用中であることをユーザに表示する視覚指示を与える請求項１に記載の装置。
【請求項３】
更に前記シャフトに取り付けられた撮みホイールを備えている請求項１に記載の装置。
【請求項４】
前記滑動可能レバーは更に、前記第２のインジケータホイールを観察するための開口、および前記滑動可能レバーが前記第１の位置にあるとき前記印刷システムに接触しているタブ、を備えている請求項２に記載の装置。
【請求項５】
媒体のサイズを印刷システムに伝える装置であって、半径を有し、所定軸の周りを回転するシャフト、前記シャフトに取り付けられ、前記シャフトの前記半径を越えて突出するローブを備えているカム、旋回点の周りを旋回する第１の端、および第２の端を有し、更に前記第１の端と前記第２の端との間に、前記カムに隣接して設置され且つ前記ローブと接触しているタブを備え、前記第２の端は前記印刷システムに接触しているレバー、前記シャフトに取り付けられ、第１および第２の媒体サイズインジケータを備えている第１のインジケータホイール、および前記第１のインジケータホイールに隣接して設置され、第１および第２の位置がある滑動可能レバーであって、前記第１の位置は前記印刷システムに前記第１の媒体サイズインジケータが使用中であることを指示し、前記第２の位置は前記印刷システムに前記第２の媒体サイズインジケータが使用中であることを指示する滑動可能レバー、を特徴とする装置。
【請求項６】
更に前記シャフトに取り付けられた撮みホイールを備えている請求項５に記載の装置。
【請求項７】
更に、前記シャフトに取り付けられ、第１および第２の媒体サイズインジケータを備えている第２のインジケータホイール、を備え、前記第２のインジケータホイールは前記第２のインジケータホイールの前記第１の媒体サイズインジケータが使用中であることをユーザに表示する視覚指示を与え、前記第２のインジケータホイールの前記第２の媒体サイズインジケータが使用中であることをユーザに表示する視覚指示を与える、請求項５に記載の装置。
【発明の詳細な説明】
【０００１】
【技術分野】
本発明は紙トレイに関するものであり、更に詳細にはユーザに現在紙トレイの中にある媒体のサイズを視覚表示する装置に関する。
【０００２】
【発明の背景】
印刷の分野においては、印刷装置が供給トレイ内の紙、または媒体、のサイズを知っていることが望ましい。紙サイズの情報がなければ、必要な紙のサイズが供給トレイにある紙サイズと同じでなければ、印刷中エラーが発生する可能性がある。印刷システムが供給トレイにある紙サイズを知っていれば、ユーザは現在の紙供給品が必要なサイズと一致していないことを知ることができ、それによりエラーの可能性を減らすことができる。
【０００３】
本発明の前に、紙トレイの内容を印刷装置に伝える幾つかの方法が開発されていた。たとえば、印刷装置が適応し得る紙の各サイズについて独特のトレイが一つの紙サイズだけを確実にトレイに差し込むことができる。この方法の主な短所は多数のサイズおよび構成のトレイをモールドすることに関する費用の増大である。他の短所にはこれら多数のトレイの在庫を維持する費用の増大がある。ユーザにとって、現在使用しないこれらトレイの保管に適応しなければならない。また、ユーザは一般に、プリンタと共に最初に供給されないトレイを、費用を追加して購入しなければならない。
【０００４】
他の方法では、製造者は各種サイズの紙に対して構成することができる一種類の紙トレイを製造することができる。この方法ではすべての紙トレイに一つのモールディングしか必要としないので製造費用が減少する。しかし、ユーザがプリンタにトレイの中にある紙のサイズを指示する必要がある。プリンタにトレイの中にある紙のサイズを指示する普通の方法ではユーザが紙トレイの特定の位置を実際に「打ち抜く」必要がある。一旦打ち抜くと、トレイはその特定の紙サイズに対して永久に構成される。ユーザが異なる紙サイズを使用したければ、ユーザは新しいトレイを購入しなければならない。
【０００５】
【発明の概要】
本発明は媒体のサイズを印刷システムに伝える装置である。第１に回転し得るシヤフトがある。幾つかのカムがシャフトの周りに形成され、各カムにはシャフトの半径を越えて突出するローブがある。また各カムに一つづつ多数のレバーがある。各レバーは旋回点の周りを旋回し、対応するカムに隣接しているタブを備えている。ローブがタブを押すようにシャフトを回転させると、対応するレバーが旋回点の周りを旋回する。
【０００６】
インジケータホイールもシャフトに取り付けられている。インジケータホイールにはその円周の周りに第１の組の面があり、各面が媒体サイズを指示する。インジケータホイールには第２の組の媒体サイズを指示する他の組の面もある。最後にインジケータホイールに隣接して設けられた滑動可能レバーがある。滑動可能レバーが第１の位置にあるとき、第１の組の媒体サイズだけを見ることができ、現在見ることができるサイズは印刷システムに伝えられるサイズである。同様に、滑動可能レバーが第２の位置にあるとき、第２の組の媒体サイズだけを見ることができ、現在見ることができるサイズは印刷システムに伝えられるサイズである。
【０００７】
本発明の更に良い理解が付図と関連して行なう下記詳細説明を考察することにより得られる。
【０００８】
【好適実施例の詳細な説明】
本発明はここに例示する特定の実施例に限定されない。最初に本発明の好適実施例を図示した図１を参照する。好適実施例は紙トレイ10で示されている。サイズの変化する媒体を紙トレイ10のトレイ11の一般的区域に置くことができる。媒体をトレイ11に挿入してから、ユーザはインジケータセレクタ101を正しく構成して紙トレイ10にある媒体のサイズと合わせなければならない。後に説明するように、ユーザがインジケータセレクタ101でインジケータを操作するにつれて、紙トレイ10がその中に挿入されるとき、情報が作像システムに伝えられる。
【０００９】
図１から関係のある区域を図２に一層詳細に示してある。ユーザがインジケータセレクタ101および撮みホイール111を操作するにつれて、レバー50から56までが各所定の媒体サイズについて独特のパターンで作動される。紙トレイ10が作像システムに挿入されるにつれて、レバー50から56までは作像システム内部のスイッチを作動させる。作像システムはこれらスイッチを読み、どのサイズの媒体が現在その紙トレイ10に設置されているかを理解することができる。
【００１０】
インジケータの作業を更に良く理解するため、図３では面板12を取り外してある。図３の好適実施例では、ユーザはインジケータセレクタ101および撮みホイール111を両方とも操作しなければならない。インジケータセレクタ101は面板12により規定される平面に沿って横方向運動で移動する。インジケータセレクタ101が横方向に移動するにつれて、レバー50もインジケータアーム103により横に移動する。好適実施例では、インジケータセレクタは二つの構成、すなわちＵ．Ｓ．媒体に対するものと国際媒体に対する他のものとの間の選択を行なう。前述のグループのいずれかに入っている個別媒体サイズが撮みホイール111を回転することにより選択され、所要インジケータをインジケータセレクタ101を介して見得るようになる。ユーザが撮みホイール111を回転しながら見ることができる第２のインジケータ組立体105Bが設けられている。インジケータ組立体105Bがなければ、ユーザは撮みホイール111を回転しながらインジケータ窓104（図２に示してある）を通してインジケータ組立体105Aを見ることを余儀なくされる。
【００１１】
なおも図３を参照すると、レバー50から56までをＵ．Ｓ．レターサイズの媒体に関して図示してある。特に、レバー50および51は「オン」位置にある。シャフト110はカム51Bがタブ51Aを押し、それによりレバー51が旋回軸60の周りを旋回してレバー51を「オン」位置にするように回転する。インジケータセレクタ101をインジケータ組立体105AにあるラベルＵ．Ｓ．レターをインジケータ窓104を通して表示することができる左位置に図示してある。同時に、インジケータ組立体105Bはトレイを見下ろしているユーザにＵ．Ｓ．レターサイズまたはＪＩＳＢ５サイズのいずれかを選択できることを表示する。
【００１２】
ユーザがインジケータ組立体105ＢがＵ．Ｓ．ポストカードを表示するように撮みホイールを介してシャフト110を回転すれば、カム51Ｂはもはやタブ51Aを押さず、代わりにカム52Bがタブ52Aを押してレバー52を旋回点60の周りに旋回させる。同様に、シャフト110が回転するにつれてカム53Bから56Bまでがタブ53Aから56Aまでを押してそのそれぞれのレバーを旋回点60の周りに旋回させる。したがって、図３の実施例では、全部で12の異なるサイズの媒体が可能である。
【００１３】
当業者は可能な媒体サイズの数を別のカムローブおよびその関連タブおよびレバーをシャフト110に追加することにより、増すことができることを理解するであろう。しかし、そのように別のカムローブを追加するとむしろ大型の扱いにくい機構が急速に生ずることになる。表現できる媒体サイズの数を増す他の方法は、たとえば、レバー50から56までを２進数で符号化する２進コード体系を使用することにより行なうことができる。２進コード体系を使用することにより、７個のレバー（50−56）が全部で128の可能な媒体サイズを表現することができる。
【００１４】
図４で、紙トレイ10の前面を更に詳細に見ることができる。図示のとおり、左のインジケータ窓107は媒体サイズ「Ｕ．Ｓ．レター」が選択されていることを示している。右のインジケータ窓108はインジレータセレクタを右に滑らせることにより日本の媒体を選択できることを示している。ユーザが日本の媒体を使用したいと思っていると仮定すれば、ユーザはインジケータセレクタ101を右に滑らせなければならない。
【００１５】
次に図５を参照すると、インジケータセレクタ101が日本媒体を選択するように位置決めされている。インジケータセレクタ101を滑らすとインジケータアーム103も同じ方向に移動することが容易に明らかなはずである。これによりレバー50が紙トレイハウジングの中で後退することができる。図６に示すように、インジケータアーム103はレバー50を紙トレイ10の内部で完全に移動させてしまっている。
【００１６】
残りのレバー51から56までは図２および図３に示すものと同一である。インジケータセレクタ101が右位置にある紙トレイ10の前面はユーザには図７に示すように明らかである。
【００１７】
次に図８を参照すると、好適実施例の内部の働きが一層詳細に図示されている。レバー50−56を注視すると、レバー53および50が突出位置にあることがわかる。レバー50は、上述のように、インジケータセレクタ101を滑らせた結果として突出している。レバー53はタブ53Aがカム53Bと噛み合っているので突出している。残りのカムはその休息位置に示されている。この情報は、図９のテーブルの助けにより、ＵＳ封筒が選択されていることを明らかにしている。
【００１８】
カム51B−56Bは、シャフト110に取り付けられているが、ユーザが撮みホイール111を回転することにより回転する。ユーザが撮みホイールを回転するにつれて、一つのカムがそのそれぞれのタブと噛み合い、適切なレバーを旋回点60の周りに回転させる。前に述べたように、当業者は図８に示す本発明の実施例は二つのグループの一方に対して可能な各紙サイズについて一つのレバーを作動させる。しかし、各カムに対して二つ以上のローブを設けることにより、レバー51−56が、たとえば、２進コードにより紙サイズを指示することができる。
【００１９】
本発明を電子写真式プリンタに関連して説明してきたが、本発明は他のシステムに同等に適用可能である。このようなシステムにはファクシミリ機械、インクジェットプリンタ、ドットマトリツクスプリンタ、複写機、などがある。
【００２０】
本発明の好適実施例を図解し、その形態を説明してきたが、当業者には、本発明の精神からまたは付記した「特許請求の範囲」から逸脱することなくそれに各種修正を行なうことができることが明らかである。
【図面の簡単な説明】
【図１】本発明による好適実施例の斜視図である。
【図２】好適実施例の拡大切開図である。
【図３】図２のものと同じ角度からみたものであるが、前板を取り外してある。
【図４】インジケータセレクタを一層詳細に示す前面図である。
【図５】好適実施例の拡大切開図を示す。
【図６】図５のものと同じ角度からみたものであるが、前板を取り外してある。
【図７】インジケータセレクタを一層詳細に示す前面図である。
【図８】好適実施例の内部の働きを示す拡大切開図を示す。
【図９】媒体サイズ選択の態様を示す。
【符号の説明】
51−56       レバー
51A−56A    タブ
51B−56B    カム
60           旋回点
101          レバー
104          開口
105A        インジケータホイール
105B        インジケータホイール
110          シャフト
【図１】
0003720130.tif 000002
【図２】
0003720130.tif 000003
【図３】
0003720130.tif 000004
【図４】
0003720130.tif 000005
【図５】
0003720130.tif 000006
【図６】
0003720130.tif 000007
【図７】
0003720130.tif 000008
【図８】
0003720130.tif 000009
【図９】
0003720130.tif 000010